(57)【要約】      （修正有）【課題】筐体に形成された開口を開閉可能なカバーであって、筐体に容易に着脱可能で、開けたときに、筐体内に収納可能なカバーを備えた電気機器を提供する。【解決手段】カバー５は、蓋部５ａに連なって順次設けられた第１曲げ部５ｂと第２曲げ部５ｃを有し、筐体２には、カバー５が挿脱可能に、且つ筐体２の内外方向に移動可能に挿通される通口８が設けられ、又、カバー５が蓋部５ａで開口部４を覆いつつ、略起立状態で係止されるカバー係止部９が設けられ、そして、カバー５は、第１曲げ部内側の隅部５ｄが、通口８の上側内壁面８ａと前壁内壁面３ａとの交点の内側端縁部８ｃを支点として、前後方向に回動可能であり、略起立状態と略横伏状態との間で変位可能となっている。【選択図】図３
2010238643.tif 000002
【特許請求の範囲】
【請求項１】
周壁に開口部を有する筐体と、該開口部を開閉する蓋部を有するカバーとを備えた電気機器において、
該カバーは、該蓋部に連なって順次設けられた第１曲げ部と第２曲げ部を更に有し、
該筐体には、該カバーが挿脱可能に、且つ該筐体の内外方向に移動可能に挿通される通口が該開口部の近傍に設けられ、又、該筐体には、該カバーが該蓋部で該開口部を覆いつつ、略起立状態で係止されるカバー係止部が該開口部の周囲に設けられ、
そして、該カバーは、該第１曲げ部内側の隅部が、該通口の上側内壁面と前壁内壁面との交点の内側端縁部を支点として、前後方向に回動可能であり、略起立状態と略横伏状態との間で変位可能であることを特徴とする電気機器。
【請求項２】
該第１曲げ部と該第２曲げ部はそれぞれ略Ｌ字状の曲げ部であり、且つ該第１曲げ部と該第２曲げ部は階段状に連なっていることを特徴とする請求項１に記載の電気機器。
【請求項３】
該第２曲げ部内側の隅部が、該通口の下側内壁面と前壁内壁面との交点の内側端縁部と係合されることを特徴とする請求項１又は２に記載の電気機器。
【請求項４】
該カバー係止部は、該カバーが略起立状態にあるとき、該カバーの外面が該筐体の該周壁の外面と面一になる様に凹部が形成されていることを特徴とする請求項１乃至３の何れかに記載の電気機器。
【請求項５】
該カバーは金属製であり、該カバー係止部には、該カバーが付着して、該カバーを略起立状態に保持するマグネットが設けられていることを特徴とする請求項１乃至４の何れかに記載の電気機器。
【請求項６】
該筐体には、該カバーが略横伏状態で収納されるカバー収納部が該通口の内側に設けられることを特徴とする請求項１乃至５の何れかに記載の電気機器。
【請求項７】
該カバー収納部には、該カバーが該筐体の外部へ移動するのを付勢する付勢部材が設けられていることを特徴とする請求項１乃至６の何れかに記載の電気機器。
【発明の詳細な説明】
【技術分野】
【０００１】
この発明は、筐体に形成された開口を開閉可能なカバーを備えた電気機器に関する。
【背景技術】
【０００２】
電気機器には、その外装をなす筐体に様々な用途で開口が形成されるが、開口を使用しないときにはそれを覆うことができる様に、筐体の開口を覆うカバーを備えているものがある。
【０００３】
例えば、特開２００２−２８１４８９号公報（特許文献１）に記載のテレビドアホンには、録画ユニットが収納されるユニット収納部が筐体内に設けられているが、録画ユニットを収納しないで、ドアホンを録画対応にしない場合に、ユニット収納部の開口を覆うように嵌合されるカバーを備えている。
【先行技術文献】
【特許文献】
【０００４】
【特許文献１】特開２００２−２８１４８９号公報
【発明の概要】
【発明が解決しようとする課題】
【０００５】
従来の電気機器における筐体の開口を使用しないときのためのカバーは、一般に、特許文献１に記載のカバーの様に、脱着によりカバーを開閉するものとなっており、開口を使用するときは、筐体から分離されるため、破損や紛失してしまうことがあった。
【０００６】
この発明は、前記の事情に鑑み、筐体に形成された開口を開閉可能なカバーであって、筐体に容易に着脱可能であり、開けたときに、筐体内に収納可能なカバーを備えた電気機器を提供することを目的とする。
【課題を解決するための手段】
【０００７】
この発明は、周壁に開口部を有する筐体と、該開口部を開閉する蓋部を有するカバーとを備えた電気機器において、該カバーは、該蓋部に連なって順次設けられた第１曲げ部と第２曲げ部を更に有し、該筐体には、該カバーが挿脱可能に、且つ該筐体の内外方向に移動可能に挿通される通口が該開口部の近傍に設けられ、又、該筐体には、該カバーが該蓋部で該開口部を覆いつつ、略起立状態で係止されるカバー係止部が該開口部の周囲に設けられ、そして、該カバーは、該第１曲げ部内側の隅部が該通口の上側内壁面と前壁内壁面との交点の内側端縁部を支点として前後方向に回動可能であり、略起立状態と略横伏状態との間で変位可能であることを特徴とする電気機器である。
【０００８】
又、この発明は、該電気機器であって、該第１曲げ部と該第２曲げ部はそれぞれ略Ｌ字状の曲げ部であり、且つ該第１曲げ部と該第２曲げ部は階段状に連なっていることを特徴とする電気機器である。
【０００９】
又、この発明は、該電気機器であって、該第２曲げ部内側の隅部が、該通口の下側内壁面と前壁内壁面との交点の内側端縁部と係合されることを特徴とする電気機器である。
【００１０】
又、この発明は、該電気機器であって、該カバー係止部は、該カバーが略起立状態にあるとき、該カバーの外面が該筐体の該周壁の外面と面一になる様に凹部が形成されていることを特徴とする電気機器である。
【００１１】
又、この発明は、該電気機器であって、該カバーは金属製であり、該カバー係止部には、該カバーが付着して、該カバーを略起立状態に保持するマグネットが設けられていることを特徴とする電気機器である。
【００１２】
又、この発明は、該電気機器であって、該筐体には、該カバーが略横伏状態で収納されるカバー収納部が該通口の内側に設けられることを特徴とする電気機器である。
【００１３】
又、この発明は、該電気機器であって、該カバー収納部には、該カバーが該筐体の外部へ移動するのを付勢する付勢部材が設けられていることを特徴とする電気機器である。
【発明の効果】
【００１４】
この発明においては、カバーは、通口に挿脱可能であり、即ち筐体に着脱可能であり、又、第１曲げ部内側の隅部は、通口の上側内壁面と前壁内壁面との交点の内側端縁部を支点として、前後方向に回動し、略起立状態と略横伏状態との間で変位して、開口部の開閉が可能であり、そして、略横伏状態で、即ち開口部を開けた状態で、筐体のカバー収納部内に収納可能である。更に、第２曲げ部内側の隅部は、通口の下側内壁面と前壁内壁面との交点の内側端縁部と係合されるので、カバー収納部における上下方向のがたつきを抑えられる。
【００１５】
従って、この発明によれば、開口部を開閉するカバーが筐体に着脱可能でありながら、開口部を開けているときに、カバーを筐体内に収納することができる電気機器を得ることができる。
【図面の簡単な説明】
【００１６】
【図１】この発明の電気機器の一例としての火災感知器の第１の実施の形態を示し、カバーが略起立状態で開口部を閉じている状態における斜視図である。
【図２】同上の火災感知器において、カバーが開口を開け、筐体内部に略横伏状態で収納されている状態における斜視図である。
【図３】同上の火災感知器において、図１の状態における、（ａ）が一部省略した正面図であり、（ｂ）が（ａ）のＡ−Ａ線断面図、（ｃ）が（ｂ）のＢ部拡大図である。
【図４】同上の火災感知器において、図２の状態における、（ａ）が一部省略した正面図であり、（ｂ）が（ａ）のＡ−Ａ線断面図、（ｃ）が（ｂ）のＢ部拡大図である。
【図５】同上の火災感知器におけるカバーを示す斜視図である。
【図６】同上を示し、カバーを筐体の背面から取付していて、フックに係止していない状態における要部斜視縦断面図である。
【図７】同上を示し、カバーが筐体外部へ引き出され、略横伏状態と略起立状態との間の回動途中の状態における、（ａ）が一部省略した正面図であり、（ｂ）が（ａ）のＡ−Ａ線断面図、（ｃ）が（ｂ）のＢ部拡大図である。
【図８】同火災感知器の第２の実施の形態を示し、図３に相当し、（ａ）が一部省略した正面図であり、（ｂ）が（ａ）のＣ−Ｃ線断面図、（ｃ）が（ｂ）のＤ部拡大図である。
【図９】同上を示し、図４に相当し、（ａ）が一部省略した正面図であり、（ｂ）が（ａ）のＡ−Ａ線断面図、（ｃ）が（ｂ）のＢ部拡大図である。
【図１０】同上を示し、カバーを図９の状態から更に筐体内部に移動して、付勢部材に係止している状態における要部斜視縦断面図である。
【発明を実施するための形態】
【００１７】
この発明の実施の形態を煙感知器に適用する場合を例に説明する。
【００１８】
先ず、第１の実施の形態を図１乃至図７に基づき説明する。
【００１９】
電気機器の一例である煙感知器１は、筐体２によって箱状に外装されている。筐体２には、その周壁中、前壁３に開口部４が形成されており、その開口部４を開閉する蓋部５ａを有するカバー５が設けられている。
【００２０】
尚、煙感知器１は、空気中に浮遊する煙等を光学的に検知するためのものであり、詳細な説明は省略するが、筐体２内に光学的に煙を検出する煙検出ユニットや煙検出ユニット内の検煙部内にサンプリングされた空気を流入させるファンや空気通路等を備えている。
【００２１】
本例において、開口部４には、例えば、外部との通信用の端子６と電話用のジャック７が設けられているが、それら端子は、図１に示されるように、カバー５の蓋部５ａが開口部４を閉じているときには、カバー５の蓋部５ａにより覆われ、図２に示されるように、カバー５の蓋部５ａが開口部４を開けているときには、外方に露出されるようになっている。
【００２２】
開口部４の下方には、カバー５が挿脱可能に、且つ筐体２の内外方向に移動可能に挿通されるスリット状の通口８が設けられている。又、開口部４の周囲には、カバー５がその蓋部５ａで開口部４を覆いつつ、略起立状態で係止されるカバー係止部９が設けられている。カバー係止部９は、カバー５が略起立状態で係止されているときに、カバー５の外面が前壁３の外面と面一になる様に凹部が形成されており、又、カバー係止部９には、カバー５が磁力で吸着されて、カバー５を略起立状態で係止される状態を保持するマグネット１０が開口部４の上方に設けられている。
【００２３】
カバー５は、平板状の蓋部５ａに連続して、順次設けられた第１曲げ部５ｂと中間部５ｉと第２曲げ部５ｃを有している。この第１曲げ部５ｂ及び第２曲げ部５ｃはそれぞれ略Ｌ字状に形成されており、それらが階段状に連続してなるものとなっている。又、このカバー５において、第１曲げ部５ｂ及び第２曲げ部５ｃのそれぞれの略Ｌ字状をなす外側及び内側の面が何れも曲げ加工によって曲面になっている。尚、カバー５は金属製であり、カバー係止部９に設けられているマグネット１０に磁力で直接吸着されるものとなっている。カバー５を樹脂成形品として、マグネット１０の代わりに、カバー５とカバー係止部９の凹部の底面９ａとにそれぞれ係止手段を設けて保持するようにしてもよい。
【００２４】
図３に示されるように、カバー５は、蓋部５ａで開口部４を閉じている状態においては、通口８に挿通されて、通口８より外部に蓋部５ａを露出させ、略起立状態になるようになっている。このとき、カバー５の第２曲げ部５ｃの内側の略Ｌ字状の面は、通口８の下側内壁面８ｂとそれに垂直に連続する前壁３の内壁面３ａによって形成される略Ｌ字状の面と係合するようになっており、それによりカバー５は略起立状態の姿勢になるようになっている。尚、カバー５の基端５ｈ側の第２曲げ部５ｃに連続する平板部には、両側方に突出するフランジ部５ｆが設けられており、このフランジ部５ｆにより通口８から外方側へカバー５が抜けるのを防止できるようになっている。
【００２５】
更に、カバー５は、具体的には、図７に示されるように、略Ｌ字状をなす第１曲げ部内側の隅部５ｄは、通口８の上側内壁面８ａと前壁内壁面３ａとの交点のの内側端縁部８ｃを支点として、矢印Ａ１及びＡ２方向、即ち前後方向に回動可能となっており、それにより、開口部４を閉じている略起立状態と開口部４を開けている略横伏状態との間で変位することができ、開口部４の開閉ができるようになっている。又、略Ｌ字状をなす第２曲げ部内側の隅部５ｅは、通口８の下側内壁面８ｂと前壁内壁面３ａとの交点の内側端縁部８ｄと係合されるために、カバー５がカバー係止部９の凹面において、上下方向にがたつくのを防止できる。
【００２６】
筐体２内には通口８の内側にカバー収納部１１が設けられており、カバー５は略横伏状態で通口８を通って筐体２内に移動されて、このカバー収納部１１に略横伏状態で収納されるようになっている。尚、１２は一対のフックであり、このフック１２にカバー５のフランジ部５ｆが掛止されて、カバー５のカバー収納部１１への収納状態が維持されるようになっている。尚、カバー５は、蓋部５ａの先端５ｇを通口８から外部に露出させた状態で、カバー収納部１１内に収納されるようになっており、カバー５で開口部４を閉じるときに、カバー５の先端を摘んで容易に筐体２内から容易に引き出すことができるようになっている。
【００２７】
煙感知器１においては、前記のように、カバー５は、通口８に挿脱可能であり、即ち筐体２に着脱可能なものになっていながら、第１曲げ部内側の隅部５ｄは、通口８の上側内壁面８ａと前壁内壁面３ａとの交点の内側端縁部８ｃを支点として、前後方向に回動して、略起立状態と略横伏状態との間で変位し、それにより開口部４の開閉が可能なものになっており、そして、略横伏状態で、即ち開口部４を開けた状態で、筐体２のカバー収納部１１内に収納可能なものとなっている。
【００２８】
ここで、カバー５を筐体２に取付する手順を説明する。まず、カバー５の蓋部５ａを内側から横伏状態で通口８に挿入する。次に、第１曲げ部５ｂの内側の隅部５ｄが内側端縁部８ｃに接すると、そこを支点として回転を開始後、第１曲げ部５ｂが通口８内を通れるようになる。それに応じて、カバー５は略起立状態へと変位をはじめる。更に、カバー５がほとんど起立した状態となると、中間部５ｉが通口８内を通れるようになるので、その姿勢で略平行移動する。最後に、第２曲げ部５ｃの内側の隅部５ｅが係合手段である通口８の内側端縁部８ｄに接すると、略起立状態で維持する。尚、カバー５を筐体２から外すには、上述と逆の動作をすればよい。上記の各隅部は１点でなく、略Ｌ字状のコーナー部分の面を含めるものである。そして、内側の隅部５ｄ、５ｅの形状に応じて、支点（内側端縁部８ｃ）と係合手段（内側端縁部８ｄ）とそれぞれ接する部分は変わる。
【００２９】
次に、この発明の第２の実施の形態を図８乃至図１０に基づき説明する。
【００３０】
第２の実施の形態は、図８乃至図１０に示されるように、カバー収納部１１にストッパ１３とガイド爪１４を更に備えたものとなっている。それら以外の構成は第１の実施の形態と実質的に同じ構成のものとなっている。
【００３１】
ストッパ１３は、ガイド爪１４の前方の位置に、カバー収納部１１の底部１１ａ（筐体２の底板）より垂直に立設された板状体である。このストッパ１３は、通口８に挿通されるカバー５の基端５ｈが当接して、カバー５の筐体２内部への移動を制限できるものとなっている。
【００３２】
ガイド爪１４は、ストッパ１３の後方の位置に、カバー収納部１１の底部１１ａ（筐体２の底板）より前方に傾斜して斜設され、自由端とされた２本の柱状体からなる先端１４ａがストッパ１３や通口８よりも高い位置にあるものとなっている。このガイド爪１４は弾性を有し、先端１４ａは斜め上方から垂直上方に向かうよう角度が付されており、カバー５の平板部が上方から先端１４ａに掛止されるようになっているが、カバー５が掛止状態から外れれば、カバー５の外方への移動を付勢することができるものとなっている。
【００３３】
第２の実施の形態は、前記の通り、ストッパ１３、ガイド爪１４以外の構成は第１の実施の形態と同じものとなっており、この第２の実施の形態の煙感知器１においても、カバー５は、通口８に挿脱可能であり、即ち筐体２に着脱可能なものになっていながら、第１曲げ部内側の隅部５ｄは、通口８の上側内壁面８ａと前壁内壁面３ａとの交点の内側端縁部８ｃを支点として、前後方向に回動して、略起立状態と略横伏状態との間で変位し、それにより開口部４の開閉が可能なものになっており、そして、略横伏状態で、即ち開口部４を開けた状態で、筐体２のカバー収納部１１内に収納可能なものとなっている。
【符号の説明】
【００３４】
１      煙感知器                    ２      筐体
３      前壁                        ３ａ    前壁内壁面
４      開口部                      ５      カバー
５ａ    蓋部                        ５ｂ    第１曲げ部
５ｃ    第２曲げ部                  ５ｄ    第１曲げ部内側の隅部
５ｅ    第２曲げ部内側の隅部        ５ｆ    フランジ部
５ｇ    先端                        ５ｈ    基端
５ｉ    中間部                      ６      通信用の端子
７      電話用のジャック            ８      通口
８ａ    上側内壁面                  ８ｂ    下側内壁面
８ｃ    内側端縁部                  ８ｄ    内側端縁部
９      カバー係止部                ９ａ    凹部の底面
１０    マグネット                  １１    カバー収納部
１２    フック                      １３    ストッパ
１４    ガイド爪
【図１】
2010238643.tif 000003
【図２】
2010238643.tif 000004
【図３】
2010238643.tif 000005
【図４】
2010238643.tif 000006
【図５】
2010238643.tif 000007
【図６】
2010238643.tif 000008
【図７】
2010238643.tif 000009
【図８】
2010238643.tif 000010
【図９】
2010238643.tif 000011
【図１０】
2010238643.tif 000012